(57)【要約】【課題】  カウンターの下側に移動自在な物品収納体を収容する収容空間が設けられているシステムキッチンにおいて、ガス管の配管作業がやり易いとともにシステムキッチンの変更が容易であり、さらにガス管と物品収容体との接触を防止することができるシステムキッチンを提供する。【解決手段】  このシステムキッチンにおいては、ガスコンロ３等を備えたカウンター２の下側に、移動自在なワゴンを収容する収容空間９が設けられ、カウンター２近傍の収容空間９に、ガスコンロ３へガスを供給するガス管１１、１２が設けられているとともに、このガス管１１、１２の前側に位置しかつカウンター２から下方奥側に斜めに延びるガス管防護部材１４が設けられている。【選択図】      図１
2006136547.tif 000002
【特許請求の範囲】
【請求項１】
ガス機器等を備えたカウンターの下側に、移動自在な物品収納体を収容する収容空間が設けられ、前記カウンター近傍の前記収容空間に、前記ガス機器へガスを供給するガス管が設けられているとともに、このガス管の前側に位置しかつ前記カウンターから下方奥側に斜めに延びるガス管防護部材が設けられていることを特徴とするシステムキッチン。
【発明の詳細な説明】
【技術分野】
【０００１】
本発明は、カウンターの下側に、ワゴン等の移動自在な物品収納体を収容する収容空間が設けられているシステムキッチンに関する。
【背景技術】
【０００２】
従来、システムキッチンは、カウンターとキャビネットが一体に設けられているものが多く普及しているが、近年、カウンターの下側に空間を設け、この空間にワゴンや移動自在なキャビネット等の物品収納体を収容するようにして、物品収納の自由度や物品収納体の置き場所の自由度を高めたり、あるいはカウンターの下側の空間を有効に利用するようにしたシステムキッチンが提供されている。
【０００３】
このようなシステムキッチンにおいて、物品収納体をカウンターの下側の収容空間に収容する際に、ガス管と干渉しないように、ガス管を、床面を貫通して、サイドフレーム（側板）の収納空間内あるいは後方の壁内に立ち上げ、コンロ部（ガス機器）に接続するものが提案されている（例えば、特許文献１参照）。
【０００４】
【特許文献１】特開２００３−１０２５６８号公報
【発明の開示】
【発明が解決しようとする課題】
【０００５】
しかしながら、通常、システムキッチンが設置される前に、床や壁を貫通するガス管の配管作業が行われるが、従来の上述のシステムキッチンのように、後方の壁のガス管からガス機器に接続する場合には、ガス管の位置とガス機器の位置とをピンポイントで合わせる場合があるので、設置するシステムキッチンを変更したいときには、ガス管の位置を変える必要があり、このガス管の配管作業をやり直しせざるを得ないばかりでなく、大工仕事等も必要となり、このためシステムキッチンの変更を断念せざるを得ないことも生じる。
【０００６】
また、狭いサイドフレームの収納空間内のガス管をガス機器に接続するのは、作業がやり難く、手間がかかる。また、この場合にも、ガス管とガス機器とを精度良く位置合わせする必要があり、設置するシステムキッチンを変更したいときに、上述のような問題を生じる虞がある。
【０００７】
本発明は、このような事情に鑑みて為されたもので、カウンターの下側に移動自在な物品収納体を収容する収容空間が設けられているシステムキッチンにおいて、ガス管の配管作業がやり易いとともにシステムキッチンの変更が容易であり、さらにガス管と物品収容体との接触を防止することができるシステムキッチンを提供することを目的とする。
【課題を解決するための手段】
【０００８】
前記目的を達成するために、請求項１に記載のシステムキッチンは、ガス機器等を備えたカウンターの下側に、移動自在な物品収納体を収容する収容空間が設けられ、前記カウンター近傍の前記収容空間に、前記ガス機器へガスを供給するガス管が設けられているとともに、このガス管の前側に位置しかつ前記カウンターから下方奥側に斜めに延びるガス管防護部材が設けられていることを特徴とする。
【発明の効果】
【０００９】
本発明のシステムキッチンによれば、カウンター近傍の収容空間にガス管が設けられるので、カウンター下側の広い収容空間でガス管とガス機器との接続作業をすることができるため、作業がやり易い。
また、カウンター近傍の収容空間にガス管が設けられるので、配管するスペースを充分確保できるため、設置するシステムキッチンを変更したいときでも、蛇腹管その他のガス管を用いてガス機器と自由に接続することができ、したがってガス管の壁等の貫通位置を変える必要はなく、システムキッチンを容易に変更することができる。
【００１０】
また、ガス管の前側にガス管防護部材が設けられているので、ワゴン等の物品収納体をカウンター下側の収容空間に収容する際に、物品収納体がガス管に当る前に、物品収納体がガス管防護部材に当ってそれ以上進入できないため、物品収納体が誤ってガス管に当るのを防止することができる。
さらに、ガス管防護部材がカウンターから下方奥側に斜めに延びるように設けられているので、物品収納体がガス管防護部材に当った際の衝撃を緩和することができるとともに、ガス管防護部材の下端部がカウンターの前面から奥側に位置し、ガス管防護部材が前側から見え難いため、美観上好ましい。
【発明を実施するための最良の形態】
【００１１】
以下、添付した図面を参照しながら、本発明の実施の形態を説明する。
図１ないし図３は、本発明の実施の形態に係るシステムキッチンを示す図であって、図１は斜視図であり、図２はワゴンを収容した状態の正面図であり、図３はワゴンを収容した状態の側面図である。
【００１２】
本実施の形態のシステムキッチンは、縦材と横材とを組み合せて構成されたフレーム１を備えている。フレーム１のうち、四隅に配置されている４つの縦材は、脚部１ａを構成している。フレーム１の上部には、カウンター２が設けられている。カウンター２には、グリル付きガスコンロ（ガス機器）３と、調理部４と、シンク５とが設けられている。調理部４の下側には引き出し６が設けられている。シンク５には、水栓７が設けられている。カウンター２の下側は空いており、ワゴン（物品収納体）８を収容する収容空間９とされている。ワゴン８は、キャスター８ａにより移動可能になっており、収容空間９その他の所望の場所に置かれる。ワゴン８の左右にはそれぞれ、逆Ｕ字状のパイプからなるサイドフレーム８ｂ、８ｂが設けられており、各サイドフレーム８ｂ、８ｂの上端部は、ワゴン８を移動させるための把手部８ｃ、８ｃとなっている。ワゴン８には、例えば、ゴミ箱Bなどを載せることができる。ゴミ箱Ｂのような収納物の上端よりも把手部８ｃは上方に突出しており、把手部８ｃの上端は、収納空間９の高さより若干低い程度に設定されている。
【００１３】
カウンター２下側の収容空間９には、カウンター２近傍でかつ後方の壁近傍に、ガス源に連結されたガス管１１が後方の壁Ｗを貫通して前後方向に突出しており、このガス管１１とカウンター２のガスコンロ３とは、壁Ｗに沿って延びる蛇腹状のガス管１２を介して接続されている。ガス管１１の前端部には、開閉弁１３が設けられている。ガス管１１およびガス管１２の前側には、ガス管防護部材１４が設置されている。このガス管防護部材１４は、扁平なＵ字状に形成されたパイプ材からなり、両端部が押し潰されて平板部１４ａとされ、両平板部１４ａがフレーム１を構成する横材あるいは横材に沿って設けられ該横材を補強する横木などにビス等の固定具により固定されている。ガス管防護部材１４は、カウンター２下面から下方奥側に傾斜して設けられている。このガス管防護部材１４の傾斜角度は、およそ４５度程度に設定されている。
【００１４】
ワゴン８をガスコンロ３の下側に収容する場合には、ガス防護部材１４を間においてガス防護部材１４の左右両側に把手部８ｃ、８ｃが位置するようにして、収容空間９内にワゴン８を押し込む。このようにすると、ゴミ箱Ｂのような収納物の上方の空間に、ガス防護部材１４、ガス管１１およびガス管１２が位置して、ワゴン８がガスコンロ３の下側にきちんと収まる。ガスコンロ３の下側の収容空間９にワゴン８を収容する場合に、上記以外の他の向きにワゴン８を入れようとすると、ワゴン８の把手部８ｃがガス管防護部材１４に当るようになっており、したがってワゴン８の把手部８ｃは、ワゴン８の収容方向を規制する機能も有している。
【００１５】
一方、シンク５および水栓７にはそれぞれ、床Ｆを貫通して立ち上がり、カウンター２の下側から延びる排水管１６および給水管１７が接続されている。これらの排水管１６および給水管１７の前側には、衝立状のカバー１８が設置されている。
【００１６】
このように構成されたシステムキッチンにあっては、カウンター２近傍の収容空間９にガス管１１およびガス管１２が設けられるので、カウンター２下側の広い収容空間９でガス管１１、１２およびガスコンロ３の接続作業をすることができ、作業がやり易い。
また、カウンター２近傍の収容空間９にガス管１１、１２が設けられるので、配管するスペースを充分確保できる。そのため、設置するシステムキッチンを変更したいときでも、蛇腹管その他の適当なガス管を用いてガスコンロ３に自由に接続することができるので、ガス管１１の壁Ｗの貫通位置を変える必要はなく、システムキッチンを容易に変更することができる。
【００１７】
また、ガス管１１、１２の前側にガス管防護部材１４が設置されているので、ワゴン８をカウンター２下側の収容空間９に収容する際に、ワゴン８がガス管１１、１２に当る前に、ワゴン８がガス管防護部材１４に当ってそれ以上進入できないため、ワゴン８が誤ってガス管１１、１２に当るのを防止することができる。
さらに、ガス管防護部材１４がカウンター２から下方奥側に斜めに延びるように設けられているので、ワゴン８がガス管防護部材１４に当った際の衝撃を緩和することができる。また。ガス管防護部材１４が奥側に傾斜しているので、ガス管防護部材１４の下端部がカウンター２の前面から奥側に位置し、ガス管防護部材１４が前側から見え難く、美観上好ましい。
さらには、ガス管防護部材１４が棒状の部材からなるので、ガス管防護部材１４の奥にある開閉弁１３を開閉する際に、開閉弁１３を見ながら開閉操作を行うことができる。
【００１８】
なお、本発明は前記実施の形態に限定されるものではなく、本発明の要旨を逸脱しない範囲での種々の設計変形等が可能である。例えば、前記実施の形態では、物品収納部材としてワゴン８を用いたが、移動自在なキャビネット等を用いても良い。
【図面の簡単な説明】
【００１９】
【図１】本発明の実施の形態に係るシステムキッチンを示す図であって、斜視図である。
【図２】同、ワゴンを収容した状態の正面図である。
【図３】同、ワゴンを収容した状態の側面図である。
【符号の説明】
【００２０】
１    フレーム
２    カウンター
３    ガスコンロ（ガス機器）
４    調理部
５    シンク
６    引き出し
７    水栓
８    ワゴン（物品収納体）
９    収容空間
１１、１２    ガス管
１３    開閉弁
１４    ガス管防護部材
１６    給水管
１７    排水管
１８    カバー
Ｂ    ゴミ箱
Ｗ    壁
Ｆ    床
【図１】
2006136547.tif 000003
【図２】
2006136547.tif 000004
【図３】
2006136547.tif 000005